(57)【要約】【課題】シール不良を防止する収納袋を提供する。【解決手段】紙葉類処理装置の第１保持部および第２保持部に懸架される、開口を有する収納袋であって、開口側の端部に設けられ、第１保持部に取り付けられる第１の取付部と、開口側の端部の第１の取付部に対向する位置に設けられ、第２保持部に取り付けられる第２の取付部と、収納袋を第１保持部および第２保持部に懸架したときに、第１の取付部よりも下方となる位置に設けられる第１のシール部と、収納袋を第１保持部および第２保持部に懸架したときに、第２の取付部よりも下方となる位置に設けられ、第１のシール部と接合されることにより開口をふさぐ第２のシール部と、第１のシール部または第２のシール部のいずれか一方に設けられた補強部材と、を有する。【選択図】図５
2018147050.tif 000002
【特許請求の範囲】
【請求項１】
紙葉類処理装置の第１保持部および第２保持部に懸架される、開口を有する収納袋であって、
前記開口側の端部に設けられ、前記第１保持部に取り付けられる第１の取付部と、
前記開口側の端部の前記第１の取付部に対向する位置に設けられ、前記第２保持部に取り付けられる第２の取付部と、
前記収納袋を前記第１保持部および前記第２保持部に懸架したときに、前記第１の取付部よりも下方となる位置に設けられる第１のシール部と、
前記収納袋を前記第１保持部および前記第２保持部に懸架したときに、前記第２の取付部よりも下方となる位置に設けられ、前記第１のシール部と接合されることにより前記開口をふさぐ第２のシール部と、
前記第１のシール部または前記第２のシール部のいずれか一方に設けられた補強部材と、
を有する収納袋。
【請求項２】
前記第１のシール部および前記第２のシール部は、前記第２保持部に設けられた加熱部によるヒートシールにより接合され、
前記補強部材は、前記第１のシール部に設けられる、
請求項１に記載の収納袋。
【請求項３】
前記補強部材は、帯状または棒状の部材であって、前記第１のシール部または前記第２のシール部の長手方向に張力を付与する、
請求項１または２に記載の収納袋。
【請求項４】
前記補強部材は、帯状または棒状の部材であって、前記第１のシール部または前記第２のシール部の長手方向に垂直な方向の撓みを抑制するように力を付与する、
請求項１乃至３のいずれか一項に記載の収納袋。
【請求項５】
前記第１の取付部と前記第２の取付部は、互いに異なる形状を有している、
請求項１乃至４のいずれか一項に記載の収納袋。
【請求項６】
前記第１の取付部と前記第２の取付部は、互いに異なる数の穴部を有する、
請求項１乃至５のいずれか一項に記載の収納袋。
【請求項７】
前記第１の取付部と前記第２の取付部は、互いに異なる位置に穴部を有する、
請求項１乃至６のいずれか一項に記載の収納袋。
【請求項８】
前記第１の取付部と前記第２の取付部は、互いに異なる形状の穴部を有する、
請求項１乃至７のいずれか一項に記載の収納袋。
【請求項９】
前記第１の取付部と前記第２の取付部は、互いに異なる外観を有する、
請求項１乃至８のいずれか一項に記載の収納袋。
【請求項１０】
請求項１から９のいずれか一項に記載の収納袋が懸架される紙葉類処理装置。
【請求項１１】
前記第１保持部と前記第２保持部は、互いに異なる形状を有する、
請求項１０に記載の紙葉類処理装置。
【請求項１２】
前記第１保持部と前記第２保持部は、互いに異なる数の突起部を有する、
請求項１０または１１に記載の紙葉類処理装置。
【請求項１３】
前記第１保持部と前記第２保持部は、互いに異なる位置に突起部を有する、
請求項１０乃至１２のいずれか一項に記載の紙葉類処理装置。
【請求項１４】
前記第１保持部と前記第２保持部は、互いに異なる形状の突起部を有する、
請求項１０乃至１３のいずれか一項に記載の紙葉類処理装置。
【請求項１５】
前記第１保持部と前記第２保持部は、互いに異なる外観を有する、
請求項１０乃至１４のいずれか一項に記載の紙葉類処理装置。
【発明の詳細な説明】
【技術分野】
【０００１】
本発明は、収納袋および紙葉類処理装置に関するものである。
【背景技術】
【０００２】
特許文献１には、パウチ袋等の収納袋の内部に紙幣を収納させるための紙幣収納機構が開示されている。特許文献１では、紙幣を収納した収納袋の開口を、加熱部材で閉じることが記載されている。
【先行技術文献】
【特許文献】
【０００３】
【特許文献１】国際公開第２０１６／１３６５１７号
【発明の概要】
【発明が解決しようとする課題】
【０００４】
しかし、収納袋が、例えば、薄く柔らかい素材等で形成されている場合、皺が寄った状態で開口が熱溶着される恐れがある。この場合、収納袋は、シール不良となる可能性がある。
【０００５】
そこで本発明は、収納袋のシール不良を防止する技術を提供することを目的とする。
【課題を解決するための手段】
【０００６】
本発明の収納袋は、紙葉類処理装置の第１保持部および第２保持部に懸架される、開口を有する収納袋であって、前記開口側の端部に設けられ、前記第１保持部に取り付けられる第１の取付部と、前記開口側の端部の前記第１の取付部に対向する位置に設けられ、前記第２保持部に取り付けられる第２の取付部と、前記収納袋を前記第１保持部および前記第２保持部に懸架したときに、前記第１の取付部よりも下方となる位置に設けられる第１のシール部と、前記収納袋を前記第１保持部および前記第２保持部に懸架したときに、前記第２の取付部よりも下方となる位置に設けられ、前記第１のシール部と接合されることにより前記開口をふさぐ第２のシール部と、前記第１のシール部または前記第２のシール部のいずれか一方に設けられた補強部材と、を有する。
【発明の効果】
【０００７】
本発明によれば、収納袋のシール不良を防止することができる。
【図面の簡単な説明】
【０００８】
【図１】第１の実施の形態に係る収納袋が懸架される紙葉類処理装置の概略構成図である。
【図２】収納袋保持装置の斜視図である。
【図３】収納袋の開口を開いた状態での斜視図である。
【図４】収納袋の開口を閉じた状態での側面図である。
【図５】収納袋の開口を閉じた状態での正面図である。
【図６】収納袋を収納袋保持装置に懸架したときの斜視図である。
【図７】補強部材を備えない収納袋を開口側から見た図である。
【図８】補強部材を備えない収納袋を開口側から見た図である。
【図９】補強部材を備えた収納袋を開口側から見た図である。
【図１０】補強部材を備えた収納袋を開口側から見た図である。
【図１１】第２の実施の形態に係る収納袋の正面図である。
【図１２】第３の実施の形態に係る収納袋の正面図である。
【発明を実施するための形態】
【０００９】
以下、本発明の実施の形態を、図面を参照して説明する。
【００１０】
［第１の実施の形態］
図１は、第１の実施の形態に係る収納袋が懸架される紙葉類処理装置の概略構成図である。図１に示すように、紙葉類処理装置１は、投入部２と、搬送部３と、識別部４と、収納繰出部５と、投出部６と、収納袋保持装置７ａ，７ｂと、収納袋８ａ，８ｂと、操作表示部９と、を有している。図１に示す紙葉類処理装置１は、例えば、スーパーマーケット等の店舗や銀行等に設置され、入出金処理等の様々な処理を行う。
【００１１】
投入部２には、ユーザにより紙幣が投入される。投入された紙幣は、１枚ずつ搬送部３に繰り出される。
【００１２】
識別部４は、投入部２の下流、かつ、収納繰出部５、投出部６、および収納袋保持装置７ａ，７ｂの上流であって、搬送部３の周辺に設けられている。識別部４は、各種センサ（図示せず）を備え、搬送部３で搬送される紙幣の金種、真偽、表裏、正損、新旧等を識別する。搬送部３で搬送される紙幣は、識別部４の識別結果またはユーザの操作等に応じて、収納繰出部５、投出部６、および収納袋８ａ，８ｂのいずれかに搬送される。
【００１３】
収納繰出部５は、いわゆる巻き取り式の紙幣収納繰出機構を備えている。収納繰出部５は、搬送部３で搬送された紙幣を収納し、また、収納した紙幣を搬送部３に繰り出す。
【００１４】
投出部６には、搬送部３から搬送された紙幣が集積される。ユーザは、投出部６に集積された紙幣を、紙葉類処理装置１の前面から取出すことができる。
【００１５】
収納袋保持装置７ａ，７ｂは、以下で詳述するが、収納袋８ａ，８ｂが懸架される。収納袋８ａ，８ｂは、開口が開いた状態で、収納袋保持装置７ａ，７ｂに懸架される。開口が開いた状態の収納袋８ａ，８ｂには、搬送部３で搬送される紙幣が収納される。なお、収納袋８ａ，８ｂに紙幣を収納する機構例は、例えば、国際公開第２０１６／１３６５１７号に開示されている。
【００１６】
図２は、収納袋保持装置７ａの斜視図である。図２に示すように、収納袋保持装置７ａは、枠体１１と、保持部１２ａ，１２ｂと、ピン１３ａａ〜１３ａｃ，１３ｂａ〜１３ｂｃと、パンタグラフ１４と、ガイドピン１５と、長穴１６と、を有している。収納袋保持装置７ｂは、収納袋保持装置７ａと同様の構成を有するため、その説明を省略する。
【００１７】
保持部１２ａ，１２ｂは、例えば、直方体形状の棒状の部材であって、互いが対向するように離間して、略四角形状の枠体１１に設けられている。保持部１２ａは、以下で説明するパンタグラフ１４と連結され、図２に示す両矢印Ａ１の方向（保持部１２ａと保持部１２ｂが対向している方向）に移動可能となっている。
【００１８】
保持部１２ｂは、収納袋保持装置７ａの枠体１１に固定されている。保持部１２ｂは、例えば、内部にヒータ等の加熱部を有している。保持部１２ｂが有する加熱部は、保持部１２ｂの面Ｓ１ｂを加熱する。保持部１２ｂの面Ｓ１ｂは、保持部１２ａの面Ｓ１ａと対向している。面Ｓ１ａ，Ｓ１ｂは、例えば、平面である。
【００１９】
保持部１２ａの上面には、ピン１３ａａ〜１３ａｃが設けられている。保持部１２ｂの上面には、ピン１３ｂａ〜１３ｂｃが設けられている。ピン１３ａａ〜１３ａｃ，１３ｂａ〜１３ｂｃには、収納袋８ａに設けられた穴（図３の穴２２ａａ〜２２ａｃ，２２ｂａ〜２２ｂｃ参照）が係合される。収納袋８ａに設けられた穴を、ピン１３ａａ〜１３ａｃ，ピン１３ｂａ〜１３ｂｃに係合することにより、収納袋８ａは、収納袋保持装置７ａに懸架される（図６参照）。
【００２０】
パンタグラフ１４は、一端が枠体１１に連結され、他端が保持部１２ａに連結されている。パンタグラフ１４の他端に連結された保持部１２ａは、パンタグラフ１４が伸びることによって、保持部１２ｂの方向へ移動する。また、パンタグラフ１４の他端に連結された保持部１２ａは、パンタグラフ１４が縮むことによって、保持部１２ｂとは反対の方向へ移動する。パンタグラフ１４は、保持部１２ａの面Ｓ１ａが、保持部１２ｂの面Ｓ１ｂに接触するまで伸びるようになっている。
【００２１】
保持部１２ａの長手方向の端部には、ガイドピン１５が設けられている。ガイドピン１５は、枠体１１に設けられた長穴１６に案内されている。長穴１６は、穴の長手方向が、保持部１２ａ，１２ｂの対向する方向と平行となるように、枠体１１に形成されている。この長穴１６に、ガイドピン１５が案内されることにより、ガイドピン１５を有する保持部１２ａは、図２に示す両矢印Ａ１の方向に移動することができる。
【００２２】
図３は、収納袋８ａの開口を開いた状態での斜視図である。図３に示すように、収納袋８ａは、取付部２１ａ，２１ｂと、穴２２ａａ〜２２ａｃ，２２ｂａ〜２２ｂｃと、補強部材２３と、を有している。収納袋８ｂは、収納袋８ａと同様の構成を有するため、その説明を省略する。
【００２３】
収納袋８ａは、例えば、ポリエチレンを材料とした袋である。収納袋８ａは、上部に開口を有している。搬送部３で搬送された紙幣は、収納袋８ａの開口から収納される。
【００２４】
取付部２１ａは、収納袋８ａの開口側端部に設けられている。取付部２１ａには、穴２２ａａ〜２２ａｃが形成されている。取付部２１ａに形成された穴２２ａａ〜２２ａｃを、図２に示した収納袋保持装置７ａの保持部１２ａのピン１３ａａ〜１３ａｃに係合させることにより、取付部２１ａは、図２に示した収納袋保持装置７ａの保持部１２ａに取付けられる。
【００２５】
取付部２１ｂは、収納袋８ａの開口側端部であって、取付部２１ａに対向する位置に設けられている。取付部２１ｂには、穴２２ｂａ〜２２ｂｃが形成されている。取付部２１ｂに形成された穴２２ｂａ〜２２ｂｃを、図２に示した収納袋保持装置７ａの保持部１２ｂのピン１３ｂａ〜１３ｂｃに係合させることにより、取付部２１ｂは、図２に示した収納袋保持装置７ａの保持部１２ｂに取付けられる。
【００２６】
補強部材２３は、帯状または棒状の部材であり、取付部２１ａ，２１ｂのいずれか一方の下方に設けられる。図３の例の場合、帯状の補強部材２３が、取付部２１ａの下方に設けられている。補強部材２３は、例えば、収納袋８ａよりコシが強く（stiffer）、ポリエチレンテレフタラートによって形成される。以下で説明するが、補強部材２３においては、収納袋８ａの開口に皺が生じないように力が働く（図９および図１０を参照）。なお、「コシが強い（stiff）」とは、曲げに対する剛性が大きいことを意味する。
【００２７】
なお、補強部材２３は、収納袋８ａよりコシが弱く（limp）てもよい。すなわち、収納袋８ａは、他部材である補強部材２３が設けられる（貼り付けられる）ことにより、開口付近のコシが強くなり、開口の皺が抑制される場合もある。
【００２８】
図４は、収納袋８ａの開口を閉じた状態での側面図である。図４において、図３と同じものには同じ符号が付してある。
【００２９】
収納袋８ａは、内部に何も収納しない状態で上部の開口が閉じられると、略平面状態となる。収納袋８ａは、図４に示すように、２つの対向する外面Ｓ１１ａ，Ｓ１１ｂを有している。取付部２１ａは、外面Ｓ１１ａを形成している収納袋８ａの開口側端部に設けられ、取付部２１ｂは、外面Ｓ１１ｂを形成している収納袋８ａの開口側端部に、取付部２１ａと対向する位置に設けられている。
【００３０】
補強部材２３は、２つの外面Ｓ１１ａ，Ｓ１１ｂのいずれか一方に設けられる。図４の例の場合、補強部材２３は、取付部２１ａが形成されている外面Ｓ１１ａに設けられている。
【００３１】
図５は、収納袋８ａの開口を閉じた状態での正面図である。図５において、図３および図４と同じものには同じ符号が付してある。図５に示すように、帯状の補強部材２３は、収納袋８ａの一方の側部から、他方の側部にわたって設けられている。図５に示す収納袋８ａの裏側（図５の紙面裏側から見た収納袋８ａの面）には、補強部材は設けられていない。
【００３２】
図６は、収納袋８ａを収納袋保持装置７ａに懸架したときの斜視図である。図６において、図２〜図５と同じものには同じ符号が付してある。
【００３３】
図６に示すように、収納袋８ａの穴２２ａａ〜２２ａｃのそれぞれは、保持部１２ａのピン１３ａａ〜１３ａｃのそれぞれに係合されている。収納袋８ａの穴２２ｂａ〜２２ｂｃのそれぞれは、保持部１２ｂのピン１３ｂａ〜１３ｂｃのそれぞれに係合されている。このように、収納袋８ａの穴を、保持部１２ａ，１２ｂのピンに係合させることにより、収納袋８ａは、図６に示すように、収納袋保持装置７ａに懸架される。
【００３４】
図６に示す状態において、パンタグラフ１４が伸びると、収納袋８ａの取付部２１ａは、収納袋８ａの取付部２１ｂの方向へと移動される。パンタグラフ１４が伸びきると、保持部１２ａの面Ｓ１ａに対応する収納袋８ａの部分は、保持部１２ｂの面Ｓ１ｂに対応する収納袋８ａの部分に接触する。そして、保持部１２ｂが備える加熱部の温度が上昇すると、面Ｓ１ｂの温度が上昇し、収納袋８ａの面Ｓ１ｂに対応する部分は、収納袋８ａの面Ｓ１ａに対応する部分と熱溶着される。これにより、収納袋８ａの開口は閉じられ、収納袋８ａに収納された紙幣は、収納袋８ａに封入される。
【００３５】
なお、パンタグラフ１４は、例えば、ユーザが収納袋８ａに収納された紙幣を、紙葉類処理装置１から回収するときに伸びる。そして、パンタグラフ１４が伸びると、保持部１２ｂの加熱部の温度が上昇する。これにより、紙幣を収納した収納袋８ａの開口は溶着され、ユーザは、収納袋８ａに封入された紙幣を回収する。
【００３６】
以下では、収納袋８ａの取付部２１ａより下方となる部分を、第１のシール部と呼ぶことがある。例えば、保持部１２ａの面Ｓ１ａに対応する収納袋８ａの部分を、第１のシール部と呼ぶことがある。また、収納袋８ａの取付部２１ｂより下方となる部分を、第２のシール部と呼ぶことがある。例えば、保持部１２ｂの面Ｓ１ｂに対応する収納袋８ａの部分を、第２のシール部と呼ぶことがある。なお、補強部材２３は、図６に示すように、保持部１２ａの面Ｓ１ａに対応する収納袋８ａの部分である第１のシール部に設けられている。
【００３７】
ここで、補強部材２３を備えない収納袋について説明する。
図７は、補強部材２３を備えない収納袋３１を開口側から見た図である。図７には、収納袋保持装置７ａ（図７では図示を省略）に懸架された、補強部材を備えない収納袋３１が示してある。図７では、収納袋保持装置７ａのパンタグラフ１４が縮んでいるときの収納袋３１の開口が示してある。
【００３８】
図８は、補強部材２３を備えない収納袋３１を開口側から見た図である。図８では、収納袋保持装置７ａのパンタグラフ１４が伸びているときの収納袋３１の開口を示している。
【００３９】
収納袋３１が補強部材２３を備えない場合、パンタグラフ１４が伸びて開口が閉じられると、収納袋３１は、皺が寄った状態で開口が閉じられる場合がある。例えば、収納袋が、薄くて柔らかい素材等で形成される場合、図８に示すように、皺が寄った状態で開口が閉じられる。
【００４０】
収納袋３１は、皺が寄った状態で開口が閉じられ、熱溶着されると、シール不良となる可能性がある。これに対し、図３に示した収納袋８ａは、第１のシール部に補強部材２３が設けられているため、開口の皺の発生が抑制される。
【００４１】
図９は、補強部材２３を備えた収納袋８ａを開口側から見た図である。図９には、収納袋保持装置７ａ（図９では図示を省略）に懸架された、収納袋８ａが示してある。図９では、収納袋保持装置７ａのパンタグラフ１４が縮んでいるときの収納袋８ａの開口が示してある。図９において、図３と同じものには同じ符号が付してある。
【００４２】
収納袋８ａの第１のシール部には、補強部材２３が設けられている。補強部材２３は、上記したように、収納袋８ａの開口の皺を抑制する。
【００４３】
例えば、補強部材２３は、図９の両矢印Ａ１１ａ，Ａ１１ｂに示すように、第１のシール部を長手方向に引き伸ばすように、第１のシール部に張力を付与する。これにより、収納袋８ａの開口は、皺の発生が抑制される。また、補強部材２３は、収納袋８ａよりも曲げに対する剛性が大きいので、第１のシール部の長手方向に垂直な方向の撓みを抑制するように、第１のシール部に力を付与する。例えば、補強部材２３は、図９の矢印Ａ１２ａ，Ａ１２ｂに示すように、第１のシール部の撓みを抑制する方向に、第１のシール部に力を付与する。これにより、収納袋８ａの開口は、補強部材２３を設けない場合に比べて、皺の発生が抑制される。
【００４４】
なお、補強部材２３は、第１のシール部を長手方向に引き伸ばすように張力を付与する機能、および撓みを抑制するように力が働く機能のいずれか一方を有していればよい。もちろん、補強部材２３は、第１のシール部を長手方向に引き伸ばすように張力を付与する機能、および撓みを抑制するように力が働く機能の両方を有していてもよい。
【００４５】
図１０は、補強部材２３を備えた収納袋８ａを開口側から見た図である。図１０では、収納袋保持装置７ａのパンタグラフ１４が伸びているときの収納袋８ａの開口が示してある。図１０において、図９と同じものには同じ符号が付してある。
【００４６】
パンタグラフ１４が伸びると、第１のシール部は、第２のシール部に接触する。第１のシール部には、補強部材２３によって、図１０の両矢印Ａ１１ａ，Ａ１１ｂの方向に力が働いている。また、第１のシール部には、補強部材２３によって、図１０の矢印Ａ１２ａ，Ａ１２ｂの方向に力が働いている。従って、収納袋保持装置７ａの保持部１２ａが保持部１２ｂに近づいていても、第１のシール部は、長手方向に伸ばされ、皺の発生が抑制される。これにより、収納袋８ａは、シール不良が防止される。
【００４７】
収納袋８ａの収納袋保持装置７ａへの取付けについて説明する。収納袋８ａは、第１のシール部および第２のシール部のいずれか一方に補強部材２３が設けられることによって、収納袋保持装置７ａへの取付け方向が制限される。例えば、第１のシール部に補強部材２３が設けられた収納袋８ａは、第１のシール部が、保持部１２ａ側となり、第２のシール部が、保持部１２ｂ側となるように、収納袋保持装置７ａへの取付けが制限される。
【００４８】
仮に、第１のシール部が、保持部１２ｂ側となり、第２のシール部が、保持部１２ａ側となるように収納袋保持装置７ａに取付けられると、シール不良を引き起こす可能性がある。例えば、補強部材２３の熱伝導率が低い場合、補強部材２３が設けられた第１のシール部が、加熱部を有する保持部１２ｂ側に取付けられると、熱溶着に必要な温度が得られない場合があり、シール不良を引き起こす可能性がある。そこで、収納袋８ａおよび収納袋保持装置７ａには、収納袋８ａの収納袋保持装置７ａへの取付け方向の間違いを防止するための構成が備えられている。
【００４９】
例えば、図３に示した収納袋８ａの取付部２１ａの穴２２ａａ〜２２ａｃと、取付部２１ｂの穴２２ｂａ〜２２ｂｃの位置は、互いに異なっている。例えば、図３に示した取付部２１ａを、図３に示した取付部２１ｂの位置に来るように収納袋８ａを１８０度回転すると、穴２２ａａ〜２２ａｃと、穴２２ｂａ〜２２ｂｃは、重ならないようになっている。そして、図２に示した収納袋保持装置７ａの保持部１２ａのピン１３ａａ〜１３ａｃと、保持部１２ｂのピン１３ｂａ〜１３ｂｃの位置も、同様に互いに異なっている。
【００５０】
このため、穴２２ａａ〜２２ａｃを備える取付部２１ａを、収納袋保持装置７ａの保持部１２ｂのピン１３ｂａ〜１３ｂｃに取付け、穴２２ｂａ〜２２ｂｃを備える取付部２１ｂを、収納袋保持装置７ａの保持部１２ａのピン１３ａａ〜１３ａｃに取付けようとしても、穴とピンの位置が合わず、収納袋８ａを収納袋保持装置７ａに取付けることができない。これにより、収納袋８ａの収納袋保持装置７ａへの取付け方向の間違いが防止される。
【００５１】
以上説明したように、収納袋８ａは、開口側の端部に設けられ、保持部１２ａに取り付けられる取付部２１ａと、開口側の端部の取付部２１ａに対向する位置に設けられ、保持部１２ｂに取り付けられる取付部２１ｂと、を有する。また、収納袋８ａは、保持部１２ａおよび保持部１２ｂに懸架されたときに、取付部２１ａよりも下方となる位置に設けられる第１のシール部と、保持部１２ａおよび保持部１２ｂに懸架されたときに、取付部２１ｂよりも下方となる位置に設けられ、第１のシール部と接合されることにより開口をふさぐ第２のシール部と、を有する。そして、収納袋８ａは、第１のシール部または第２のシール部のいずれか一方に設けられた補強部材２３を有する。これにより、収納袋８ａは、シール不良が防止される。
【００５２】
なお、上記では、収納袋８ａの収納袋保持装置７ａへの取付け方向が間違われないように、取付部２１ａと、取付部２１ｂは、互いに異なる位置に穴２２ａａ〜２２ａｃ，２２ｂａ〜２２ｂｃを有するとしたが、これに限られない。例えば、収納袋８ａの取付部２１ａと取付部２１ｂは、互いに異なる形状を有していてもよい。具体的には、取付部２１ａと取付部２１ｂとのいずれか一方の角を、丸くしてもよい。また、収納袋保持装置７ａの保持部１２ａ，１２ｂは、互いに異なる形状を有していてもよい。例えば、収納袋保持装置７ａの保持部１２ａ，１２ｂのそれぞれは、収納袋８ａの取付部２１ａと取付部２１ｂと（取付部２１ａと取付部２１ｂは異なる形状を有している）を模った溝を有していてもよい。これにより、収納袋保持装置７ａの保持部１２ａ，１２ｂに模られた溝に合うように、収納袋８ａの取付部２１ａと取付部２１ｂとを取付けることによって、収納袋８ａの収納袋保持装置７ａへの取付け方向の間違いが防止される。
【００５３】
また、収納袋８ａの取付部２１ａと取付部２１ｂは、互いに異なる数の穴を有していてもよい。そして、収納袋保持装置７ａの保持部１２ａ，１２ｂは、収納袋８ａの取付部２１ａと取付部２１ｂの穴の数に合わせて、互いに異なる数のピンを有していてもよい。
【００５４】
また、収納袋８ａの取付部２１ａと取付部２１ｂは、互いに異なる形状の穴を有していてもよい。例えば、取付部２１ａが有する穴の形状は丸にし、取付部２１ｂが有する穴の形状は四角にする。そして、収納袋保持装置７ａの保持部１２ａ，１２ｂは、収納袋８ａの取付部２１ａと取付部２１ｂの穴の形状に合わせて、互いに異なる形状のピンを有していてもよい。
【００５５】
また、収納袋８ａの取付部２１ａと取付部２１ｂは、互いに異なる外観を有していてもよい。例えば、取付部２１ａと取付部２１ｂは、それぞれ異なる色、文字、図形、または記号を有していてもよい。そして、収納袋保持装置７ａの保持部１２ａ，１２ｂは、収納袋８ａの取付部２１ａと取付部２１ｂの外観に合わせて、互いに異なる外観を有していてもよい。
【００５６】
また、補強部材２３の熱伝導率が高い場合には、補強部材２３が加熱部側（保持部材１２ｂ側）となるように収納袋８ａを収納袋保持装置７ａに取付けてもよい。また、補強部材２３は、保持部材１２ａ，１２ｂの両側に設けられてもよい。
【００５７】
また、加熱部は、保持部１２ａにあってもよい。
【００５８】
［第２の実施の形態］
第１の実施の形態では、補強部材２３は、収納袋８ａの一方の側部から、他方の側部にわたって設けられた（図５）。第２の実施の形態では、第１のシールの一部において、補強部材が設けられる。
【００５９】
図１１は、第２の実施の形態に係る収納袋の正面図である。図１１において、図５と同じものには同じ符号が付してある。図１１に示すように、収納袋４１は、補強部材４２ａ，４２ｂを有している。
【００６０】
補強部材４２ａ，４２ｂは、収納袋４１の外面Ｓ１１ａの第１のシール部において、離れて設けられている。補強部材４１ａ，４２ｂのそれぞれは、収納袋４１の側部に接するように設けられる。また、補強部材４２ａ，４２ｂは、収納袋８ａが収納袋保持装置７ａに懸架されたとき、収納袋保持装置７ａの保持部１２ａ，１２ｂに接触しない収納袋４１の開口部分に設けられている。
【００６１】
補強部材４２ａ，４２ｂは、例えば、補強部材２３と同様に、ポリエチレンテレフタラートで形成される。補強部材４２ａ，４２ｂはそれぞれ、第１のシール部を長手方向に引き伸ばすように張力を付与する。また、補強部材４２ａ，４２ｂはそれぞれ、第１のシール部の撓みを抑制するように、第１のシール部に力を付与する。これにより、収納袋４１は、第１のシール部での皺の発生が抑制される。
【００６２】
以上説明したように、補強部材４２ａ，４２ｂは、収納袋４１が収納袋保持装置７ａに懸架されたときの開口の、保持部１２ａ，１２ｂと接触しない部分に対応する第１のシール部に設けられる。これにより、収納袋８ａは、シール不良が防止される。
【００６３】
［第３の実施の形態］
第３の実施の形態では、補強部材２３に折り目が施されまたはビードが成型される。
【００６４】
図１２は、第３の実施の形態に係る収納袋８ａの正面図である。図１２において、図５と同じものには同じ符号が付してある。
【００６５】
図１２に示すように、収納袋４１の補強部材２３には、折り目５１およびビード５２が形成されている。これにより、補強部材２３のコシを更に強くすることができる。
【００６６】
なお、上記では、補強部材２３に折り目５１およびビード５２を形成するとしたが、どちらか一方を形成するようにしてもよい。
【００６７】
また、補強部材２３に折り目５１をクロスするように形成してもよい。また、補強部材２３にビード５２をクロスするように形成してもよい。また、補強部材２３に折り目５１とビード５２とをクロスするように形成してもよい。
【００６８】
また、折り目５１およびビード５２の他に、補強部材２３に金属線を埋め込んだり貼り付けたりしてもよい。
【符号の説明】
【００６９】
１  紙葉類処理装置
７ａ，７ｂ  収納袋保持装置
８ａ，８ｂ，４１  収納袋
１１  枠体
１２ａ，１２ｂ  保持部
１３ａａ〜１３ａｃ，１３ｂａ〜１３ｂｃ  ピン
２１ａ，２１ｂ  取付部
２２ａａ〜２２ａｃ，２２ｂａ〜２２ｂｃ  穴
２３，４２ａ，４２ｂ  補強部材
５１  折り目
５２  ビード
【図１】
2018147050.tif 000003
【図２】
2018147050.tif 000004
【図３】
2018147050.tif 000005
【図４】
2018147050.tif 000006
【図５】
2018147050.tif 000007
【図６】
2018147050.tif 000008
【図７】
2018147050.tif 000009
【図８】
2018147050.tif 000010
【図９】
2018147050.tif 000011
【図１０】
2018147050.tif 000012
【図１１】
2018147050.tif 000013
【図１２】
2018147050.tif 000014